(57)【特許請求の範囲】
【請求項１】
携帯電話のＰＣＢにバッテリの電源を供給するために携帯電話本体に設けられ、バッテリ端子と接触する携帯電話のバッテリ接続端子であって、
複数個のプランジャーハウジングを備えた胴体と、
前記各プランジャーハウジングに摺動自在に挿入され、前記バッテリ端子と接触する先端部が、該プランジャーハウジングの一端部から突出可能に構成されたプランジャーと、
前記プランジャーハウジングの他端部において前記胴体に結合され、一部が前記ＰＣＢに接するベースカバー部材と、
前記プランジャーハウジング内に配置され、一端を前記プランジャーに接し、他端を前記ベースカバー部材に接して、前記プランジャーを前記プランジャーハウジングから突出する方向へ付勢するバネとを備え、
前記プランジャー、ベースカバー部材、及びバネは導電性材料を備えており、これらを介して前記バッテリから前記ＰＣＢへ電気が供給されるように構成されており、
前記プランジャーハウジングは、前記プランジャー及びバネを収容するとともに前記プランジャーの抜止部を有する円柱状の収容部を備え、
前記ベースカバー部材は、前記収容部と略同一径の円柱状空所を有し、該空所内において前記バネの端部を支持する有底筒状をなし、該筒状部分の外周面に前記プランジャーハウジングへの係止部を有したバネ支持部を備え、
前記プランジャーハウジングの前記他端部には、前記バネ支持部を挿入可能な拡径部が形成され、
前記拡径部は、前記バネ支持部の係止部と係合し、該バネ支持部を保持する切欠部を備え、
前記バネ支持部が前記拡径部に挿入された状態で、前記収容部及び前記バネ支持部は、各々内壁面が連続してバネ摺動面を形成することを特徴とする携帯電話のバッテリ接続端子。
【発明の詳細な説明】
【０００１】
【発明の属する技術分野】
本発明は、携帯電話本体のバッテリ装着部に設けられバッテリ側端子と接触する接続端子に関する。
【０００２】
【従来の技術】
従来の携帯電話のバッテリ接続端子４０は、図４に示した通り、携帯電話本体の内部に設けられるインタフェースコネクタ胴体４１に挿着される固定片４２と、この固定片４２の一端部から鋭角をなして一体的に延びる弾性接触片４３とを備えている。弾性接触片４３は、その中間部分が上側に膨らむように曲げ成形されており、この中間部分がインタフェースコネクタ胴体４１を通過して携帯電話本体の外側に突出するよう組み立てられる。
【０００３】
前記従来のバッテリ接続端子は、薄板のストリップを曲げ成形することで構成されているため、バッテリ接続端子が繰り返し荷重を受ければ、前記弾性接触片４３が変形してしまい、固定片４２に対する復元力を無くすことによりバッテリ端子との接触不良を引き起こすという問題点があった。
【０００４】
また、前述した従来のバッテリ接続端子は、薄板のストリップが複雑な形状に成形されているため、インタフェースコネクタ胴体４１に組立し難く、組立生産性が低いという問題点もあった。
【０００５】
【発明が解決しようとする課題】
本発明は、前述した従来のバッテリ接続端子の有する問題点を解決するために案出されたもので、簡単な構造からなり、組立性が向上され生産性を高められるのみならず、耐久性を改善することが可能な長寿命のバッテリ接続端子を提供するところにある。
【０００６】
【課題を解決するための手段】
前述した目的を達成するために本発明は、携帯電話のＰＣＢにバッテリの電源を供給するために携帯電話本体に設けられ、バッテリ端子と接触する携帯電話のバッテリ接続端子であって、複数個のプランジャーハウジングを備えた胴体と、前記各プランジャーハウジングに摺動自在に挿入され、前記バッテリ端子と接触する先端部が、該プランジャーハウジングの一端部から突出可能に構成されたプランジャーと、前記プランジャーハウジングの他端部において前記胴体に結合され、一部が前記ＰＣＢに接するベースカバー部材と、前記プランジャーハウジング内に配置され、一端を前記プランジャーに接し、他端を前記ベースカバー部材に接して、前記プランジャーを前記プランジャーハウジングから突出する方向へ付勢するバネとを備え、前記プランジャー、ベースカバー部材、及びバネは導電性材料を備えており、これらを介して前記バッテリから前記ＰＣＢへ電気が供給されるように構成されている。
【０００７】
また、前記プランジャーハウジングが、前記プランジャー及びバネを収容するとともに前記プランジャーの抜止部を有する円柱状の収容部を備え、前記ベースカバー部材が、前記収容部と略同一径の円柱状空所を有し、該空所内において前記バネの端部を支持する有底筒状をなし、該筒状部分の外周面に前記プランジャハウジングへの係止部を有したバネ支持部を備え、前記プランジャーハウジングの前記他端部には、前記バネ支持部を挿入可能な拡径部が形成され、前記拡径部が、前記バネ支持部の係止部と係合し、該バネ支持部を保持する切欠部を備え、前記バネ支持部が前記拡径部に挿入された状態で、前記収容部及び前記バネ支持部が、各々内壁面が連続してバネ摺動面を形成する構成にすることもできる。
【０００８】
従って、本発明はプランジャー構造を有するので長時間使用しても弾性を維持できて寿命が延び、構造も簡単なので組立性が向上されるという長所がある。
【０００９】
【発明の実施の形態】
以下、添付した図面に基づき本発明の実施例を詳述する。
【００１０】
図１に示した通り、図面符号１０は携帯電話本体を示し、２０は携帯電話本体に着脱自在に装着されるバッテリを指す。携帯電話本体のバッテリ装着部１３の下端に設けられる本発明のバッテリ接続端子３０は、バッテリ２０の端子２１と接触して電源を携帯電話本体１０の内部の電子部品(図示せず)に供給する。
【００１１】
図２に示した通り、前記本発明に係るバッテリ接続端子３０は、複数個のプランジャーハウジング３２が設けられた胴体３１を備える。前記プランジャーハウジング３２の上部が胴体３１の上面から上側に突出するように、プランジャーハウジング３２と胴体３１とはプラスチックで一体に成形される。
【００１２】
前記各プランジャーハウジング３２は、図３に示した通り、プランジャー３４を摺動自在に収容する軸方向のボア（収容部）３２ａと、該ボア３２ａより小径であり前記ボア３２ａと同軸に連通される上端の孔３２ｂとを有する。したがって、前記ボア３２ａと孔３２ｂの境界線上には肩部（抜止部）３２ｄが形成される。
【００１３】
前記プランジャー３４は、導電性材料で構成されており、前記プランジャーハウジング３２のボア３２ａの内側壁に摺動するガイド部３４ａと、該ガイド部３４ａから上側に同軸に延びて前記プランジャーハウジング３２のボア３２ａを貫通してプランジャーハウジング３２から突出される接触部３４ｂと、前記ガイド部３４ａの外径より小径であり、前記ガイド部３４ａの下端から下側に同軸に延びて外周面にバネ３７が嵌着されるバネ固定部３４ｄとを備える。前記接触部３４ｂはバッテリの端子との接触不良を防止するために上端部が半球形の形状を有する。前記ガイド部３４ａとバネ固定部３４ｄとの境界でバネ３７の先端が接触するバネシート面３４ｃは傾斜していて、前記バネ３７の付勢力が前記プランジャー３４に偏向するように作用する。
【００１４】
ベースカバー部材３５は、前記各プランジャーハウジング３２のボア３２ａの下端（拡径部）に嵌合してプランジャー３４をバネ３７により支持させる。前記ベースカバー部材３５は、ベースプレート３５ａと、その上面から突出し前記ボア３２ａの下端に嵌着される環状嵌合部（バネ支持部）３５ｂとを備え、前記環状嵌合部３５ｂの外周面には、前記プランジャーハウジング３２の側壁に形成された結合溝（切欠部）３２ｃに嵌合される嵌合突起（係止部）３５ｃが形成される。前記ベースカバー部材３５とバネ３７とは、銅合金のような導電性の材料で作られている。
【００１５】
本発明に係るバッテリ接続端子３０は、前記プランジャー３４が、その下端のバネ固定部３４ｄにバネ３７の一方の先端を挟込んだまま前記プランジャーハウジング３２のボア３２ａ内に挿入され、前記ボア３２ａの下端をベースカバー部材３５で覆うことにより組み立てられる。このとき、ボア３２ａ及び環状嵌合部３５ｂの内壁面は、連続したバネ摺動面を形成する。前記プランジャー３４は、バネ３７に付勢されてガイド部３４ａの上端面がプランジャーハウジング３２の肩部３２ｄに当接する状態となり、これによりプランジャー３４の接触部３４ｂがプランジャーハウジング３２の外側に突出された状態を維持する。図３に示した通り、本発明のバッテリ接続端子３０は、ベースカバー部材３５の底面が携帯電話本体の内部に内蔵されるＰＣＢ（Ｐｒｉｎｔｅｄ  Ｃｉｒｃｕｉｔ  Ｂｏａｒｄ）１１の表面にソルダリングにより電気的に接合されるとともに、プランジャーハウジング３２の外側に突出されたプランジャー３４の接触部３４ｂが、携帯電話本体１０に形成された孔３２ｂを貫通して外部に突出するよう携帯電話本体１０に内蔵される。なお、ベースカバー部材３５とＰＣＢ１１との接合は、電気的に接合できるものであれば、ソルダリング以外の方法も用いることができる。
【００１６】
携帯電話本体１０のバッテリ装着部１３にバッテリ２０を結合すれば、バッテリ２０の端子２１が、携帯電話本体１０の外側に突出されたプランジャー３４の接触部３４ｂに当接したままプランジャー３４を押し下げる。プランジャー３４を付勢するバネ３７は圧縮され前記プランジャー３４がバッテリ２０の端子と接触したまま下降することを許容する。この際、バッテリ２０はプランジャー３４、バネ３７、ベースカバー部材３５を通してＰＣＢ１１に電源を供給する。
【００１７】
バッテリ２０を携帯電話本体１０から取り外すことにより、プランジャー３４がバネ３７の力により付勢されて復帰する際、前記プランジャー３４のバネシート面３４ｃが傾斜していて前記バネ３７の力が前記プランジャー３４に偏向して作用するので、プランジャー３４はプランジャーハウジング３２のボア３２ａの中でスムーズに上昇する。
【００１８】
【発明の効果】
本発明のバッテリ接続端子はバネプランジャー方式で構成されているため耐久性が改善される。また、プランジャハウジングにプランジャー及びバネを挿入しベースカバー部材を胴体に係止させることにより部品を組立てるので、構造が簡単になって組立性が向上され、その結果、生産性を高められる。
【図面の簡単な説明】
【図１】本発明のバッテリ接続端子を示すために携帯電話本体からバッテリを取り外した斜視図である。
【図２】本発明のバッテリ接続端子の分離斜視図である。
【図３】図１の"Ａ-Ａ"線に沿って切断した断面図である。
【図４】従来のバッテリ接続端子の斜視図である。
【符号の説明】
１０: 携帯電話本体
１１: ＰＣＢ
１３: バッテリ装着部
２０: バッテリ
２１: バッテリ端子
３０: バッテリ接続端子
３１: 胴体
３２: プランジャーハウジング
３２ａ：ボア（収納部）
３２ｃ：結合溝（切欠部）
３２ｄ：肩部（抜止部）
３４: プランジャー
３５: ベースカバー部材
３５ｂ：環状嵌合部（バネ支持部）
３５ｃ：嵌合突起（係止部）
３７: バネ
【図１】
0003716345.tif 000002
【図２】
0003716345.tif 000003
【図３】
0003716345.tif 000004
【図４】
0003716345.tif 000005